(57)【要約】      （修正有）【課題】突刺具によって草の根部を貫通した状態で、器具本体を引き上げることにより草を引抜くか又は根部で切断することができる。除去すべき草が滑って抜けることはなく、何人にも草を除去しやすい草取り器具を提供する。【解決手段】差込片２を器具本体１の先端部に突設するとともに引掛具３を器具本体１に揺動可能に軸止する。差込片の先端縁に把持凹部２１を形成するとともに引掛具３の先端部に突刺具５を突設する。引掛具を弾性に抗して差込片に向かって揺動可能とするとともにこの差込片２の把持凹部２１に侵入可能とした草取り器具である。【選択図】図２
0003163466.tif 000002
【実用新案登録請求の範囲】
【請求項１】
器具本体と差込片と引掛具とを備え、前記差込片を前記器具本体の先端部に突設するとともに前記引掛具を前記器具本体に揺動可能に軸止し、前記差込片の先端縁に把持凹部を形成するとともに前記引掛具の先端部に突刺具を突設し、前記引掛具を弾性に抗して前記差込片に向かって揺動可能とするとともにこの差込片の前記把持凹部に侵入可能としたことを特徴とする草取り器具。
【請求項２】
前記差込片における把持凹部の内周縁が刃部であることを特徴とする請求項１の草取り器具。
【請求項３】
前記器具本体に操作杆の先端部を連結するとともにこの操作杆の後端部に操作レバーを設置し、この操作レバーによって前記引掛具を弾性に抗して揺動可能としたことを特徴とする請求項１又は請求項２の草取り器具。
【請求項４】
前記引掛具の先端部には、前記突刺具が差込片方向に向かって揺動したとき、所定位置で停止するようにストッパーが設けられていることを特徴とする請求項１，請求項２又は請求項３の草取り器具。
【考案の詳細な説明】
【技術分野】
【０００１】
この考案は草取り器具に関し、作業者が立ったままの状態で芝生等の間に生えた雑草等を除去する場合に使用されるものである。
【背景技術】
【０００２】
従来におけるこの種の草取り器具は、操作杆と差込片と挟み具とを備え、前記差込片を前記操作杆の先端部に突設するとともに前記挟み具を前記操作杆の先端部に揺動可能に軸止したものであり、除去すべき草の手前の土中に前記差込片を突き刺し、前記挟み具を弾性に抗して前記差込片に向かって揺動させることによって、挟み具と差込片とによって当該草を挟み、この挟んだ状態で前記支持杆を引き上げて草を抜いていた。
【０００３】
【特許文献１】特開２００４−４１１１２号公報
【考案の開示】
【考案が解決しようとする課題】
【０００４】
しかしながら、かかる従来の草取り器具あっては、操作杆に先端に設置されて差込片と挟み具とによって草を挟持していたにすぎないため、操作杆を引き上げた際に、挟まれていた草が差込片と挟み具との間から滑って抜けやすく、この結果、草を除去しにくいという不都合を有した。
【課題を解決するための手段】
【０００５】
この不都合を解消することが、この考案の課題である。
【０００６】
この考案に係る草取り器具においては、器具本体と差込片と引掛具とを備え、前記差込片を前記器具本体の先端部に突設するとともに前記引掛具を前記器具本体に揺動可能に軸止し、前記差込片の先端縁に把持凹部を形成するとともに前記引掛具の先端部に突刺具を突設し、前記引掛具を弾性に抗して前記差込片に向かって揺動可能するとともにこの差込片の前記把持凹部に侵入可能としたものである。
【０００７】
なお、前記差込片における把持凹部の内周縁を刃部にすることができる。
【０００８】
また、前記器具本体に操作杆の先端部を連結するとともにこの操作杆の後端部に操作レバーを設置し、この操作レバーによって前記引掛具を弾性に抗して揺動可能とすることができる。
【０００９】
また、前記引掛具の先端部に、前記突刺具が差込片方向に向かって揺動したとき、所定位置で停止するようにストッパーを設けることもできる。
【考案の効果】
【００１０】
この考案に係る草取り器具においては上記のように構成されているため、即ち、器具本体と差込片と引掛具とを備え、前記差込片を前記器具本体の先端部に突設するとともに前記引掛具を前記器具本体に揺動可能に軸止し、前記差込片の先端縁に把持凹部を形成するとともに前記引掛具の先端部に突刺具を突設し、前記引掛具を弾性に抗して前記差込片に向かって揺動可能するとともにこの差込片の前記把持凹部に侵入可能としたため、使用者は、除去すべき草の手前の土中に前記差込片を、その把持凹部に前記草が侵入するように差し込み、その後、前記引掛具を弾性に抗して前記差込片に向かって揺動させ、前記突刺具によって前記草の根部を貫通し、前記差込片の把持凹部に侵入させた状態で、操作杆を引き上げることにより前記草を引抜くか又は根部で切断することができる。
【００１１】
よって、この草取り器具を使用すれば、従来のように、除去すべき草が従来のように滑って抜けることはなく、何人にも草を除去しやすいものである。
【００１２】
なお、前記差込片における把持凹部の内周縁を刃部にすれば、差込片を土中に差し込みながら草の根の太い部分を切断することができるため、草の抵抗（地中に根を張ろうとする）が減少される結果、使用者は当該草を除去しやすいものである。
【００１３】
なお、前記器具本体に操作杆の先端部を連結するとともにこの操作杆の後端部に操作レバーを設置し、この操作レバーによって前記引掛具を弾性に抗して揺動可能とすれば、人の侵入しにくい狭い場所の草取りも容易にできるものである。
【００１４】
また、前記引掛具の先端部に、前記突刺具が差込片方向に向かって揺動したとき、所定位置で停止するようにストッパーを設ければ、前記引掛具が揺動した際に、前記引掛具の先端部と前記差込片との間は常時一定の間隔を維持することができる結果、突刺具が貫通した草を必要以上の力で挟持することはなく、使用者は常に一定の力で草を把かみ除去することができるものである。
【考案を実施するための最良の形態】
【００１５】
この考案に係る「草取り器具」においては、「差込片」における「把持凹部」の内周縁を必ずしも「刃部」にする必要はないが、「刃部」にすることによって草の除去をより一層容易にすることができる。
【００１６】
また、「器具本体」に操作レバーを設置して使用することもできる。
【００１７】
また、前記引掛具の「ストッパー」は、引掛具の先端部を前記差込具と反対側に折り曲げ（約４５°）て、その折り曲げ角外側部を「ストッパー」として用いる。
【実施例１】
【００１８】
以下、図面に基づいてこの考案の実施例を説明する。
【００１９】
図１はこの考案に係る草取り器具の正面図、図２は図１におけるII−II部拡大図、図３は図１におけるIII −III 部拡大図、図４〜図６はこの草取り器具の使用状態を説明した図である。
【００２０】
図１において、Ａは草取り器具、Ｂはその作業部、Ｃはその操作部である。作業部Ｂと操作部Ｃとは操作杆Ｄによって繋がれている。
【００２１】
図２に基づいて、前記作業部Ａについて詳述する。
【００２２】
図において、１は器具本体であり、前記操作杆Ｄの先端に外嵌めされ、ビス１１によって固定されている。この器具本体１は板状であり、前記操作杆Ｄの先端方向に延びている。
【００２３】
２は差込片であり、前記器具本体１の先端部に溶接されている。この差込片２は内側に僅かに湾曲したフォーク状であり、その先端に向かって漸次肉薄になっている。２１は把持凹部であり、前記差込片２の先端縁に形成されている。この把持凹部２１は前記差込片２の根幹部方向に延びている。なお、この把持凹部２１の内周縁にはＵ字状に刃部２２が形成されている。
【００２４】
３１は支持片であり、軸３１１を介して前記器具本体１に揺動可能に設置されている。この支持片３１は板状をしている。３２は作動片であり、前記支持片３１に対して略垂直状に一体形成されている。この作動片３２は板状であり、先端部の近傍において外側（反差込片方向）に略４５°折り曲げられている。前記支持片３１と前記作動片３２とによってこの考案の「引掛具３」を構成する。
【００２５】
５は突刺具であり、前記作動片３２の先端部に溶接されている。この突刺具５は前記差込片２方向に突出し、引掛具３が前記差込片２方向に揺動したとき、前記把持凹部２１に侵入することができる。この場合、前記突刺具５が前記把持凹部２１に侵入した際に、前記作動片３２の折り曲げ角外側部３３が前記差込片２における前記把持凹部２１の根幹部に衝突するため、前記引掛具３の先端部と前記差込片２との間に常時一定の間隔を維持することができる。即ち、前記「作動片３２の折り曲げ角外側部３３」は引掛具３のストッパーとして機能する。なお、前記突刺具５の周面には螺旋溝が形成されているが、ビスによって代用することもできる。
【００２６】
５２は引っ張りバネであり、前記支持片３１における前記作動片３２との連設部と前記器具本体１との間に設置されている。この引っ張りバネ５２は前記突刺具５が前記把持凹部２１から開放する方向に常時弾性状態で引っ張っている。５３は連接棒であり、前記支持片３１の先端（軸３１１を中心として前記引っ張りバネ５２と反対側）に掛け止めされている。この連接棒５３の機能については後記する。
【００２７】
次に、図３に基づいて、前記操作部Ｃについて説明する。
【００２８】
図において、６は樹脂製グリップであり、前記操作杆Ｄの後端部に嵌着されている。使用者はこの部分を把持して当該草取り器具Ａを操作する。６１は操作レバーであり、前記操作杆Ｄにおける前記グリップ６の手前に軸６２を介して揺動可能に設置され、前記連接棒５３の他端が掛け止めされている。そして、操作レバー６１をグリップ６側に握り込むことによって、前記連接棒５３を弾性に抗して引き、前記突刺具５を前記把持凹部２１に侵入させることができる。操作レバー６１の握り込みを解除すれば、前記連接棒５３は弾性（引っ張りバネ５２）によって原状態に戻り、記突刺具５は前記把持凹部２１に抜け出して原状態に戻る。
【００２９】
次に、図４〜６に基づいて、この草取り器具の使用方法を説明する。
【００３０】
図４に示すように、使用者は、前記突刺具５が前記把持凹部２１から開放した状態で、草Ｇの手前の土Ｓ中に前記差込片２を、その把持凹部２１に前記草Ｇが侵入するように斜め前方に差し込む。このとき、把持凹部２１の刃部２２に草Ｇの根が切断される。
【００３１】
そして、図５に示すように、前記操作レバー６１をグリップ６方向に握り込むことによって、前記連接棒５３を弾性に抗して引き、前記突刺具５を草Ｇの根部を貫通させた状態で前記把持凹部２１に侵入させる。この状態で、図６に示すように、前記グリップ６を引き上げれば、草Ｇは突刺具５が貫通した状態で引き抜かれるものである。
【産業上の利用可能性】
【００３２】
この考案に係る係る草取り器具は、、除去すべき草の手前の土中に前記差込片を、その把持凹部に前記草が侵入するように差し込み、前記突刺具によって前記草の根部を貫通し、前記差込片の把持凹部に侵入させた状態で、操作杆を引き上げることにより前記草を引抜くか又は根部で切断することができる。よって、この草取り器具を使用すれば、従来のように、除去すべき草が従来のように滑って抜けることはなく、何人にも草を除去しやすく、その利用可能性は極めて高いものである。
【図面の簡単な説明】
【００３３】
【図１】図１はこの考案に係る草取り器具の正面図である。
【図２】図２は図１におけるII部拡大図である。
【図３】図３は図１におけるIII 部拡大図である。
【図４】図４はこの草取り器具の使用状態を説明した図である。
【図５】図５はこの草取り器具の使用状態を説明した図である。
【図６】図６はこの草取り器具の使用状態を説明した図である。
【符号の説明】
【００３４】
Ａ  …  草取り器具
Ｂ  …  作業部
Ｃ  …  操作部
Ｄ  …  操作杆
１  …  器具本体
１１  …  ビス
２  …  差込片
２１  …  把持凹部
２２  …  刃部
３  …  引掛具
３１  …  支持片
３１１  …  軸
３２  …  作動片
３３  …  折り曲げ角外側部
５  …  突刺具
５２  …  引っ張りバネ
５３  …  連接棒
６  …  グリップ
６１  …  操作レバー
Ｇ  …  草
Ｓ  …  土
【図１】
0003163466.tif 000003
【図２】
0003163466.tif 000004
【図３】
0003163466.tif 000005
【図４】
0003163466.tif 000006
【図５】
0003163466.tif 000007
【図６】
0003163466.tif 000008